(57)【要約】【課題】水分を吸着保持する吸着体とマイナスイオン発生装置との両者を備えていて、周辺空気の湿度条件とは無関係に水分を送給できるうえ、マイナスイオンと結合した水分を継続して送給できる温風乾燥機を提供する。【解決手段】本体ケース１の内部に送風ファン１５およびモーター１６と、ヒーター１７を備えている。本体ケース１の外周縁に沿う筒状の温風通路にヒーター１７を配置し、ヒーター１７で囲まれる送給路の中央領域にマイナスイオン発生器を配置する。マイナスイオン発生器より送風ファン１５側の冷風通路に吸着体４０を配置して、吸着体４０から放出される水分と、マイナスイオンとを乾燥風とともに同時に送給できるようにする。【選択図】図１
2008029715.tif 000002
【特許請求の範囲】
【請求項１】
中空筒状の本体ケース（１）の内部に、送風ファン（１５）およびモーター（１６）と、ヒーター（１７）が配置されており、
送風ファン（１５）で生起した乾燥風の送給路に、マイナスイオン発生器と、水分を吸着保持する吸着体（４０）が配置されており、
吸着体（４０）から放出される水分とマイナスイオンとを乾燥風とともに同時に送給できることを特徴とする温風乾燥機。
【請求項２】
送風ファン（１５）から送出される乾燥風の送給路の外周縁に沿う筒状の温風通路に、乾燥風を加熱するヒーター（１７）が配置されており、
ヒーター（１７）で囲まれる送給路の中央領域にマイナスイオン発生器が配置してある請求項１記載の温風乾燥機。
【請求項３】
ヒーター（１７）で囲まれる送給路の中央領域に、ヒーター（１７）で加熱される前の冷風を通過させる冷風ガイド（４７）が配置されており、
冷風ガイド（４７）で区画される冷風通路に臨んでマイナスイオン発生器が配置してある請求項１または２記載の温風乾燥機。
【請求項４】
ヒーター（１７）と吹出口（２７）との間の温風通路に吸着体（４０）が配置してある請求項２または３記載の温風乾燥機。
【請求項５】
マイナスイオン発生器と送風ファン（１５）との間で、主としてマイナスイオン発生器の周囲を包み込む冷風の通過領域に吸着体（４０）が配置してある請求項２または３記載の温風乾燥機。
【請求項６】
モーター（１６）の周面に吸着体（４０）が配置してある請求項５記載の温風乾燥機。
【請求項７】
本体ケース（１）の吹出口（２７）に、乾燥風を収束するノズル（２）が装着されており、
ノズル（２）内の温風通路に吸着体（４０）が配置してある請求項１、２または３記載の温風乾燥機。
【請求項８】
吸着体（４０）が、通風自在に構成される担持体（４３）と、担持体（４３）に装着される吸着剤（４４）とを含んで構成されており、吸着体（４０）がノズル（２）に対して交換自在に装着してある請求項７記載の温風乾燥機。
【請求項９】
マイナスイオンを含む冷風の通過領域がノズル（２）の中央部分に設けられており、前記冷風の通過領域を囲むノズル（２）の外辺部分に吸着体（４０）が配置してある請求項７または８記載の温風乾燥機。
【発明の詳細な説明】
【技術分野】
【０００１】
本発明は、加湿機能を備えている温風乾燥機、なかでもシリカゲルやゼオライトなどの吸着体から水分を放出させて毛髪などの加湿を行うことができる温風乾燥機に関する。
【背景技術】
【０００２】
この種の温風乾燥機として、加湿機能を備えているヘアードライヤーが特許文献１に公知である。そこでは、本体ケースで区画される風洞内に、送風ファンとヒーターと吸着剤とを記載順に配置し、吸着剤が吸着保持していた水分を放出させることにより、乾燥風の湿度を高めて整髪効果を向上できるようにしている。吸着剤は細孔内に水を物理吸着できるシリガゲル、あるいはゼオライトからなるが、たとえば粒子状の吸着剤を風洞内に配置する具体的な構造は不明である。
【０００３】
本発明の温風乾燥機においては、本体ケースに温風通路と冷風通路とを設け、冷風通路内にイオン発生装置を配置するが、この種のヘアードライヤーは特許文献２に公知である。特許文献３には、気化水分によって加湿された加湿空気とマイナスイオンとを混合した状態で供給し、マイナスイオンと水分子の結合を促進することにより、マイナスイオンの存続時間を拡大し、到達距離を伸ばすことが開示されている。但し、特許文献３は加湿器を適用対象としており、ヘアードライヤーなどの温風乾燥機を適用対象とする本発明とは異なる。
【０００４】
【特許文献１】特開平８−２９９０４９号公報（段落番号００１４、図１）
【特許文献２】特開２００４−２０８９３５号公報（段落番号００２１、図１）
【特許文献３】特開２００４−１３８３５４号公報（段落番号００２４、図１）
【発明の開示】
【発明が解決しようとする課題】
【０００５】
特許文献１のヘアードライヤーのように、吸着剤に吸着されていた水分を放出させて乾燥風の湿度を高めると、充分な量の水分を毛髪に送給して整髪効果を向上できる。しかし、水分を供給できる持続時間に限界があり、吸着されていた水分の大半が放出されてしまうと加湿機能が急激に低下する。吸着剤の使用量を増やすと、放出できる水分量を増加できるが、持続時間を拡大できるわけではない。
【０００６】
その点、特許文献２のヘアードライヤーでは、コロナ放電によりマイナスイオン化した空気中の酸素を水分子に結合させて毛髪に水分を送給するので、水分送給作用の持続時間に制限はない。しかし、送給できる水分量は、周辺空気の湿度に大きく左右されやすく、むらなく定常的に水分を送給できない。例えば空気の乾燥度合いが高いと水分の全送給量が極端に低下し、さらに、マイナスイオンの到達距離が不足しがちとなる。
【０００７】
本発明の目的は、水分を吸着保持する吸着体とマイナスイオン発生装置との両者を備えていて、周辺空気の湿度条件とは無関係に定常的に水分を送給できるうえ、水分を継続して送給できる温風乾燥機を提供することにある。本発明の目的は、乾燥風に対して所定量の水分を的確に供給して加湿でき、しかも加湿に寄与する水分を利用してマイナスイオンの到達距離を拡大でき、全体として整髪効果を向上しながら、毛髪をうるおいとつやがある状態に仕上げ、さらに枝毛や切れ毛などの発生を防止して良好な状態に仕上げることができる温風乾燥機を提供することにある。本発明の目的は、既存の温風乾燥機であっても、必要に応じて加湿機能を付加することができ、さらに、加湿要素である吸着体の交換を簡便に行うことができる温風乾燥機を提供することにある。
【課題を解決するための手段】
【０００８】
本発明の温風乾燥機は、中空筒状の本体ケース１の内部に、送風ファン１５およびモーター１６と、ヒーター１７が配置されており、送風ファン１５で生起した乾燥風の送給路に、マイナスイオン発生器と、水分を吸着保持する吸着体４０を配置する。以て、吸着体４０から放出される水分とマイナスイオンとを乾燥風とともに同時に送給できることを特徴とする。
【０００９】
送風ファン１５から送出される乾燥風の送給路の外周縁に沿う筒状の温風通路に、乾燥風を加熱するヒーター１７を配置し、ヒーター１７で囲まれる送給路の中央領域にマイナスイオン発生器を配置する。
【００１０】
ヒーター１７で囲まれる送給路の中央領域に、ヒーター１７で加熱される前の冷風を通過させる冷風ガイド４７を配置し、冷風ガイド４７で区画される冷風通路に臨んでマイナスイオン発生器を配置する。
【００１１】
吸着体４０の配置形態に関して、ヒーター１７と吹出口２７との間の温風通路に吸着体４０を配置する。あるいは、マイナスイオン発生器と送風ファン１５との間で、主としてマイナスイオン発生器の周囲を包み込む冷風の通過領域に吸着体４０を配置する。あるいは、モーター１６の周面に吸着体４０を配置する。
【００１２】
本体ケース１の吹出口２７に乾燥風を収束するノズル２が装着してある温風乾燥機において、ノズル２内の温風通路に吸着体４０を配置する。
【００１３】
吸着体４０は、通風自在に構成される担持体４３と、担持体４３に装着される吸着剤４４とを含んで構成し、吸着体４０をノズル２に対して交換自在に装着する。
【００１４】
マイナスイオンを含む冷風の通過領域をノズル２の中央部分に設ける。前記冷風の通過領域を囲むノズル２の外辺部分に吸着体４０を配置する。
【発明の効果】
【００１５】
本発明では、送風ファン１５およびモーター１６とヒーター１７が本体ケース１の内部に配置してある温風乾燥機において、送風ファン１５で生起した乾燥風の送給路に、マイナスイオン発生器と吸着体４０とを配置して、吸着体４０から放出される水分とマイナスイオンとを乾燥風とともに同時に送給できるようにした。
【００１６】
このように、吸着体４０から放出される水分と、マイナスイオンと結合した水分子とで乾燥風を加湿できるようにすると、周辺空気の湿度条件とは無関係に所定量の水分を的確に供給して乾燥風を加湿できるので、マイナスイオンのみを送給する温風乾燥機に比べてより確実に毛髪等を加湿して、うるおいとつやがある状態に毛髪等を仕上げ、さらに枝毛や切れ毛などの発生を防止して良好な状態に仕上げることができる。さらに、マイナスイオンを吸着体４０から放出される水分子と結合させると、乾燥風とともに送給されるマイナスイオンの質量を大きくすることができるので、その分だけマイナスイオンの到達距離を大きくして毛髪等への水分補給を確実化できる。
【００１７】
送風ファン１５が軸流ファンで構成してある温風乾燥機において、乾燥風の送給路の外周縁に沿う筒状の温風通路にヒーター１７を配置し、ヒーター１７で囲まれる送給路の中央領域にマイナスイオン発生器を配置すると、水分子と結合したマイナスイオンが温風に接触するのを極力避けることができるので、その分だけマイナスイオンと結合した水分子の温度を低温状態に維持して、毛髪等に付着した水分が蒸散するのを防止できる。さらに水分を毛髪等によく浸透させて、うるおいとつやがある、しっとり感に富む状態に毛髪等を仕上げることができる。
【００１８】
ヒーター１７で囲まれる送給路の中央領域に冷風ガイド４７を配置し、冷風ガイド４７で区画される冷風通路に臨んでマイナスイオン発生器を配置すると、ヒーター１７で加熱される前の冷風に含まれる水分子にマイナスイオンを結合させることができるので、マイナスイオンと結合した水分子が温風に晒されるのを確実に防いで、水分子の温度をさらに低温状態に維持でき、毛髪等に付着した水分の蒸散を防止し、水分の浸透を促進できる。
【００１９】
吸着体４０の配置形態に関して、吸着体４０がヒーター１７と吹出口２７との間の温風通路に配置してあると、温風の加熱作用によって吸着体４０に吸着されていた水分を効果的に放出できるので、十分な量の水分を乾燥風に供給して加湿できるうえ、吸着体４０から放出された水分がマイナスイオンと結合する機会を増やして、吹出口２７から送出されるマイナスイオンの到達距離を拡大できる。
【００２０】
マイナスイオン発生器と送風ファン１５との間で、主としてマイナスイオン発生器の周囲を包み込む冷風の通過領域に吸着体４０を配置すると、吸着体４０から放出された水分を含む冷風にマイナスイオンを接触させて、水分子と結合した状態のマイナスイオンを確実にしかも大量に生成できるので、乾燥風に含まれる水分子の量を増加して毛髪等への水分の浸透をさらに効果的に行える。また、温風に比べて相対湿度が高い冷風をマイナスイオンに接触させて、マイナスイオンと結合した水分子を継続して供給できるので、吸着体４０の水分放出量が減少した後にも、乾燥風の加湿を継続的に行って水分を毛髪等へ浸透させることができる。
【００２１】
モーター１６の周面に吸着体４０を配置すると、モーター１６の駆動に伴って生じる熱で吸着体４０を内側から加熱して水分を放出させることができるので、吸着体４０の全体を温風と接触させて水分を放出させる場合に比べて、水分を徐々に放出してより長時間にわたって乾燥風に水分を供給できる。
【００２２】
本体ケース１の吹出口２７に装着したノズル２内の温風通路に吸着体４０を配置すると、ノズル２を着脱することによって乾燥風の湿度を大きく変化させることができるので、洗髪後の髪乾燥や、加湿された乾燥風による整髪などを、効果的に行うことができる。さらに、既存の温風乾燥機であっても、吸着体４０が組み込まれたノズル２を購入することにより加湿機能を付加して、整髪効果を向上することができる。
【００２３】
通風自在に構成される担持体４３と、担持体４３に装着される吸着剤４４などで構成した吸着体４０を、ノズル２に対して交換自在に装着すると、ノズル２を本体ケース１から取り外した状態で吸着剤４４や吸着体４０の交換作業を行えるので、吸着体４０が本体ケース１の内部に組み込んである場合に比べて、使用者自身の手で交換作業を簡便に行うことができる。
【００２４】
ノズル２の中央部分にマイナスイオンを含む冷風の通過領域を設け、この通過領域を囲むノズル２の外辺部分に吸着体４０を配置すると、水分子と結合したマイナスイオンの通過経路と、吸着体４０を通過した乾燥風の通過経路とを明確に区別できるので、マイナスイオンが吸着体４０に吸着されて消滅するのを確実に防止して、水分子と結合したマイナスイオンの到達度合いをさらに向上できる。
【発明を実施するための最良の形態】
【００２５】
（実施例）  図１ないし図４は本発明をヘアードライヤー（温風乾燥機）に適用した実施例を示す。図２において、ヘアードライヤーは、左右に長い中空筒状の本体ケース１と、その前端に着脱自在に装着されるノズル２と、本体ケース１の下面後側に設けたグリップ３とを有する。
【００２６】
グリップ３の前面上下には、ヒーター１７への通電状態を切り換えるスイッチボタン４と、風量を三段階に切り換えるスイッチノブ５とが設けてあり、これらのスイッチボタン４、およびスイッチノブ５で切り換え操作されるスイッチ４ａ・５ａがグリップ３の内部に組み込んである。スイッチボタン４用のスイッチ４ａは、常態においてオン状態になっており、スイッチボタン４を押し込み操作するとオフ状態に切り換わって、ヒーター１７への通電を停止できる。スイッチノブ５は、下端のオフ位置から上方へ向かってスライド変位させることにより、弱風、強風、ターボの順にスイッチ５ａを切り換えて、モーター１６の駆動回転数を大小に変更でき、マイナスイオン発生器も同時に駆動される。マイナスイオン発生器は、専用のスイッチをオン操作することで駆動してもよい。
【００２７】
本体ケース１は、左右に二分割される主ケース７と、主ケース７の前端、および後端に外嵌装着される前ケース８、および後ケース９と、後ケース９の後端に係合装着されるグリルケース１０などで構成してある。グリルケース１０で区画される吸込口１１は、粗いフィルターを兼ねる部分球面状の吸込グリル１２で覆ってある。本体ケース１の内部には、軸流型の送風ファン１５と、送風ファン１５を回転駆動するモーター１６と、ヒーター１７が配置してある。
【００２８】
吸込口１１に臨む本体ケース１の内面後端にはファンケース１９が配置され、その内部に送風ファン１５とモーター１６が組み込んである。詳しくは、送風ファン１５の周囲を囲む円筒状の導風筒２０と、中央のホルダー筒２１と、ホルダー筒２１の周囲を断続的に囲む筒壁２２と、筒壁２２と導風筒２０とを繋ぐ複数個の整流翼２３とでファンケース１９を構成する。ホルダー筒２１にはモーター１６が組み込まれ、ホルダー筒２１、筒壁２２、整流翼２３より後側の空間に送風ファン１５が配置してある。
【００２９】
ニクロム線で形成されるヒーター１７は、主ケース７の内部に固定されて＊字状に組まれた３個のヒーターホルダー２５の周囲に螺旋状に巻き掛けられており、その周囲は前すぼまり円筒状の絶縁筒２６と、絶縁筒２６の外面を覆う薄鋼板製の補強筒とで覆ってある。このように、ヒーター１７は乾燥風の送給路の周縁に沿う筒状の温風通路に配置する。ヒーター１７、ヒーターホルダー２５、絶縁筒２６および補強筒は、一組の部材として取り扱うことができ、先の主ケース７で左右に抱持固定され、さらに、主ケース７の吹出口２７の内面に固定した吹出グリル２８と、先のファンケース１９とで前後に挟持固定してある。絶縁筒２６および補強筒は、ヒーター１７の輻射熱を遮断する断熱体として機能しており、これにより主ケース７が熱くなるのを防止できる。
【００３０】
整流翼２３を介して送風ファン１５から送給される乾燥風の大半は、導風筒２０に連続する絶縁筒２６の内面に沿って案内されて吹出口２７へと移行するが、その間にヒーター１７で加熱されて温風化される。送風ファン１５から送給される乾燥風の一部は、ヒーター１７で囲まれる送給路の中央領域を移行する。この中央領域を移行する乾燥風はヒーター１７と接触する機会が殆どないため、先の温風より低い温度の乾燥風（冷風）が吹出口２７から送出される。
【００３１】
送風ファン１５で生起した乾燥風とともに、マイナスイオンを毛髪に送給するために、ヒーター１７で囲まれる送給路の中央領域、つまり主として冷風が通過する領域内であって、吹出グリル２８の内面中央に臨む位置にマイナスイオン発生器を配置している。マイナスイオン発生器は、左右一対の中央電極３０と、リング状の周囲電極３１と、これら両者３０・３１を支持する電極ホルダー３２と、電極ホルダー３２の後端に固定される樹脂モールド３３などで構成する。マイナスイオン発生器の周囲は、周壁の複数箇所が分断してある円筒状の絶縁枠３４で囲まれている。同様に、ホルダー筒２１と絶縁枠３４との間の空間も、モーター１６に外嵌する絶縁枠３５で囲まれている。絶縁枠３４・３５の周囲を流れる冷風は、吹出口２７寄りに配置したマイナスイオン発生器の周囲を包む状態で流動し、マイナスイオン発生器から放出されたマイナスイオンと混ざり合った状態で吹出口２７から送出される。
【００３２】
電極ホルダー３２には、両電極３０・３１を絶縁遮断する左右一対の誘電筒３６が隣接形成してある。樹脂モールド３３は、整流回路およびパルス発生回路と、パルス発生回路で調整されたパルス電流を昇圧するトランスなどのイオン発生回路の構成部品を、樹脂中に封入して１個の部品としてまとめてある。先の中央電極３０と周囲電極３１との間に、イオン発生回路で生成された高電圧を印加することによりコロナ放電を生じさせて、マイナスイオンを生成し放出することができる。
【００３３】
コロナ放電によりマイナスイオン化した空気中の酸素は、ヒーター１７で加熱されていない冷風中の水分子と結合して、吹出グリル２８、およびノズル２を介してから送出されて毛髪に水分を送給する。このような、マイナスイオンの放出作用とは別に、乾燥風に所定量の水分を供給して強制的に加湿し、しかも加湿に寄与する水分を利用してマイナスイオンの到達距離を拡大するために、マイナスイオン発生器と送風ファン１５との間で、主としてマイナスイオン発生器の周囲を包み込む冷風の通過領域に吸着体４０を配置している。
【００３４】
具体的には、この実施例では図３に示すように、ファンケース１９のホルダー筒２１と筒壁２２との間に、前後面が開口する６個の扇型の空所４１を形成し、各空所４１のそれぞれに吸着体４０を配置した。吸着体４０は、断面が格子状に構成される通風自在な担持枠（担持体）４３と、担持枠４３の表面に固定される吸着剤４４とで構成してある。吸着剤４４は、微粒化されたシリカゲル、あるいは人工ゼオライトなどを素材としており、格子状に成形したうえで担持枠４３に分離不能に装着固定してある。
【００３５】
不使用状態のヘアードライヤーを収納している状態において、吸着剤４４は周辺空気に含まれる水分を物理的に吸着して、吸着剤４４の細孔内に保持する。吸着剤４４によって吸着保持される水分量は、ヘアードライヤーを所定時間放置することで増加し、一旦飽和したのちはそれ以上時間を掛けても水分量が増加することはない。必要があれば、ヒーター１７への通電を停止した状態で、スイッチノブ５を弱風位置へ切り換えて冷風を送給し、周辺空気と吸着剤４４との接触機会を増やすことによって、吸着剤４４に吸着保持される水分量を一時的に増加することができる。
【００３６】
以上のように構成したヘアードライヤーによれば、ヒーター１７とマイナスイオン発生器を作動させた状態で、送風ファン１５を駆動することにより、マイナスイオン化した空気中の酸素と水分子との結合体を冷風とともに送給し、冷風の周囲を温風で包み込んだ状態で乾燥風を送給できる。同時に、吸着体４０がモーター１６の熱を受けて、それまで吸着していた水分を放出し、吸着体４０を通過する冷風を加湿できる。モーター熱によって吸着体４０から放出された水分は、吸着体４０を通過する冷風によって吹出口２７へ向かって効率的に運ばれる。
【００３７】
上記のように、マイナスイオン発生器と吸着体４０とを併用して髪乾燥を行う場合には、吸着体４０から放出される水分によって乾燥風を加湿できるので、周辺空気の湿度条件とは無関係に水分を適度に含んだ乾燥風を定常的に送給できる。しかも、吸着体４０から放出された水分を含む冷風の中央部分に向かってマイナスイオンを放出するので、イオン化した酸素と水分との接触機会を大幅に増加して、水分と結合した状態のマイナスイオンの総量を増加できる。
【００３８】
したがって、マイナスイオン発生器のみを使用して髪乾燥を行う場合に比べて、乾燥風に含まれる水分の総量と、マイナスイオンの到達距離との双方を増強できる。また、水分を多く含む冷風の中央部分に向かってマイナスイオンを放出するので、マイナスイオンが温風と接触するのを抑止でき、その分だけマイナスイオンと結合した水分の温度（エネルギー状態）を低く維持して、毛髪に付着した水分が蒸散するのをよく防止でき、毛髪を潤いのある状態に仕上げることができる。
【００３９】
吸着体４０から放出される水分は、ヘアードライヤーの使用が経過するのに伴い徐々に減少し、やがて放出できる水分量は急激に減少する。しかし、吸着体４０から放出される水分量が減少した後にも、マイナスイオン発生器によって水分と結合した状態のマイナスイオンを供給できるので、全体として髪に適度の潤いを与えながら整髪効果を向上することができる。
【００４０】
以下に、本発明の別の実施例を図５ないし図１２に従って説明する。なお、図５以下の実施例においては、先の実施例と異なる部分を主に説明して、先の実施例と同じ部材に同じ符号を付してその説明を省略する。
【００４１】
図５および図６に示すヘアードライヤーにおいては、ヒーター１７で囲まれる送給路の中央領域、つまり冷風が通過する領域内に、ヒーター１７で加熱される前の冷風を通過させる冷風ガイド４７を配置し、冷風ガイド４７で区画される冷風通路に臨んでマイナスイオン発生器を配置して、マイナスイオンと加湿された冷風との接触機会をさらに増加できるようにした。
【００４２】
詳しくは、前すぼまり状の冷風ガイド４７を、電極ホルダー３２の後端に連続する状態で配置し、その入口４８をヒーター１７の後端位置よりファンケース１９側へ突出させ、さらに、入口４８の開口径を、ホルダー筒２１の円弧周面の直径寸法より大きく設定して、吸着体４０を通過する間に加湿された冷風を、より確実に冷風ガイド４７へ導入案内できるようにした。加えて、電極ホルダー３２の内部に、各誘電筒３６に連通する冷風通路４９を設け、加湿された冷風が各誘電筒３６の内部を通過できるようにした。なお、図６に示すように、ヒーターホルダー２５は、冷風ガイド４７の外周面に形成した溝５０を利用して係合固定した。
【００４３】
図７に示すヘアードライヤーにおいては、図５と同様に冷風ガイド４７を設けたうえで、円盤状に形成した通風自在な吸着体４０を、ヒーターホルダー２５および電極ホルダー３２の前端と吹出グリル２８との間に配置して、ヒーター１７で加熱された温風を吸着体４０と接触させることにより、吸着体４０に吸着されていた水分の放出を促進して、乾燥風の全体をむらなく加湿できるようにした。このように、ヒーター１７より下流側に円盤状の吸着体４０を配置すると、冷風に含まれる水分はもちろん、温風に含まれる水分をもマイナスイオンと結合させて送給できるので、毛髪に対する水分送給効果を向上できる。金属製の吹出グリル２８とヒーターホルダー２５とで吸着体４０を前後に挟持固定するので、吸着体４０を確りと固定保持できるうえ、外力を吹出グリル２８で受け止めて吸着体４０を保護できる。なお、吸着体４０をドーナツ形に形成しておけば、マイナスイオン発生器から放出されるマイナスイオンが吸着剤４４に吸着されるのを防ぐことができる。
【００４４】
図８に示すヘアードライヤーにおいては、円柱状の吸着体４０を図１で説明した絶縁枠３４とモーター１６との間に配置し、ヒーター１７の輻射熱によって吸着体４０を加熱できるようにした。そのために、ヒーター１７の後端を、吸着体４０の前後方向の中途部と重なるように位置させ、ヒーター１７の輻射熱を吸着体４０の周面に最短距離で到達させて、細孔に捕捉されていた水分を確実に放出できるようにした。吸着体４０から放出された水分は、吸着体４０および絶縁枠３４の周囲に沿って流れる冷風に放出され、この水分を含む冷風の中央部分にマイナスイオンが放出される。この場合の吸着体４０は、スポンジのような多孔体を担持体４３にして、その空孔に吸着剤４４が露出する構造とすることができる。
【００４５】
図９に示すヘアードライヤーにおいては、図７と同様に冷風ガイド４７を設けたうえで、ドーナツ状に形成した通風自在な吸着体４０を、ヒーターホルダー２５の前端と吹出グリル２８との間に配置して、ヒーター１７で加熱された温風を吸着体４０と接触させて水分を放出させるようにした。さらに、吸着体４０の内面側に、通風自在な伝熱板５２とペルチェ素子５３と放熱フィン５４を配置して、ペルチェ素子５３で発生された冷熱によって、吸着体４０を伝熱板５２を介して冷却できるようにし、吸着体４０による水分吸着作用を促進できるようにした。ペルチェ素子５３は、ヘアードライヤーが不使用状態にあるときに限って駆動できるようにしておき、例えばタイマーによって駆動開始時間や駆動終了時間を設定して駆動することができる。
【００４６】
図１０に示すヘアードライヤーにおいては、ノズル２内の温風通路の中央部分に吸着体４０を配置して、吸着体４０から放出される水分によって乾燥風を加湿できるようにした。詳しくは、ノズル２の内部中央に前後面が開口する円筒状のボス５７を設けておき、このボス５７の内部に吸着体４０を着脱可能に係合装着した。この実施例における吸着体４０は、前後端が開口する筒ケース５８と、筒ケース５８に収容される吸着剤４４と、筒ケース５８の入口に係合装着される抜止リング５９とで構成してあり、筒ケース５８および吸着剤４４を通過する乾燥風によって、吸着剤４４に吸着されていた水分を放出させる。
【００４７】
上記のように容器状の筒ケース５８に吸着剤４４を収容する場合には、筒ケース５８の前後開口を通風可能な網体で塞ぐことにより、粒状の吸着剤４４を筒ケース５８内に収容して、水分を吸着させることができる。例えば、シリカゲルを吸着剤４４とする場合には、吸着と放出とを繰り返し行うことができるが、徐々に吸着できる水分量が減少する。このような場合には、吸着体４０の全体をボス５７から取り外して、新規な吸着材４４と交換することにより、乾燥風に対する加湿作用を適正な状態に復帰させることができる。本体ケース１から取り外すことができるノズル２に吸着体４０を装着するので、吸着材４４の交換作業を簡便に行えるうえ、必要でない場合にはノズル２を本体ケース１から取り外すだけで通常のヘアードライヤーとして使用できる。
【００４８】
図１１に示すヘアードライヤーにおいては、マイナスイオンを含む冷風の通過領域をノズル２の中央部分に設け、この冷風の通過領域を囲むノズル２の周辺部分に吸着体４０を配置した。詳しくは、ノズル２の中央部分にマイナスイオンを含む冷風を通過案内する円筒状のボス６２を設け、このボス６２の周囲壁の左右２箇所に限って吸着体４０を配置した。ノズル２の吹出口６３は左右方向に長い扁平形状に絞られており、吹出口６３の長手方向周辺部分（内面両側）に一対の吸着体４０が配置してある。
【００４９】
このように、マイナスイオンを含む乾燥風の通過領域をボス６２で規定し、ボス６２の周囲壁の左右２箇所に吸着体４０を配置すると、マイナスイオンを含む乾燥風が吸着体４０と接触するのを防いで、マイナスイオンが吸着剤４４に吸着されてしまうのを確実に防止でき、したがって、水分と結合したマイナスイオンを毛髪に対して確実に送給することができる。また、吸着体４０を温風の通過領域に配置するので、吸着剤４４に吸着されていた水分を効果的に放出できる。
【００５０】
上記の各実施例では、いずれもマイナスイオンが本体ケース１の吹出口２７を介して送給されるようにしたがその必要はない。例えば図１２に示すように、本体ケース１の上部に冷風の一部が通過する通路６５を設け、この通路６５の吹出口６６の内部に中央電極３０や周囲電極３１などのマイナスイオン発生器を配置することができる。つまり、送風ファン１５で生起した乾燥風の送給路の必要個所にマイナスイオン発生器を配置することができる。誘電筒３６の周囲には冷風を通過させるための冷風通路６７が形成してある。トランス、および整流回路やパルス回路などを含む樹脂モールド３３は、ヒーターホルダー２５の後端中央部に配置した絶縁枠３５の内部に配置する。円盤状に形成した吸着体４０は、吹出グリル２８の外面に配置して、吹出グリル２８に対して着脱可能に固定する。
【００５１】
上記の実施例以外に、マイナスイオン発生器は冷風ガイド４７の内部に組み込むことができる。吸着体４０は、その内周面がモーター１６の外周面に密着する状態で配置することができる。本発明は、ヘアードライヤー以外の、ヘアブロー、洗面所用のハンドドライヤー、ペット用のドライヤーなどの温風乾燥機に適用できる。送風ファン１５は、遠心ファンや横貫流ファンであってもよい。
【図面の簡単な説明】
【００５２】
【図１】図２におけるＡ−Ａ線断面図である。
【図２】ヘアードライヤーの側面図である。
【図３】図１におけるＢ−Ｂ線断面図である。
【図４】図１におけるＣ−Ｃ線断面図である。
【図５】別の実施例に係るヘアードライヤーの横断平面図である。
【図６】図５におけるＤ−Ｄ線断面図である。
【図７】別の実施例に係るヘアードライヤーの横断平面図である。
【図８】別の実施例に係るヘアードライヤーの横断平面図である。
【図９】別の実施例に係るヘアードライヤーの横断平面図である。
【図１０】別の実施例に係るノズルの断面図である。
【図１１】別の実施例に係るノズルおよび周辺構造の断面図である。
【図１２】別の実施例に係るヘアードライヤーの縦断側面図である。
【符号の説明】
【００５３】
１  本体ケース
１５  送風ファン
１６  モーター
１７  ヒーター
２７  吹出口
３０  中央電極
３１  周囲電極
４０  吸着体
【図１】
2008029715.tif 000003
【図２】
2008029715.tif 000004
【図３】
2008029715.tif 000005
【図４】
2008029715.tif 000006
【図５】
2008029715.tif 000007
【図６】
2008029715.tif 000008
【図７】
2008029715.tif 000009
【図８】
2008029715.tif 000010
【図９】
2008029715.tif 000011
【図１０】
2008029715.tif 000012
【図１１】
2008029715.tif 000013
【図１２】
2008029715.tif 000014